(57)【要約】【課題】着信応答保留時に、着側ユーザの置かれた状況や発側ユーザとの関係において適切なマルチメディアコンテンツを選択して発信側端末に送出することを可能とするサービス制御装置、及び、コンテンツ送出方法を提供する。【解決手段】メディア蓄積サービス制御装置１０のメディアストレージ１１は、メディア種別が異なる複数のコンテンツを一括して記憶し、プロファイル情報記憶部１２は、各コンテンツの送出方式を記憶する。サービス制御部１３は、着信応答保留時に着側ユーザの選択操作に基づくコンテンツの選択信号を着信側端末２０ｂから受信した場合に、当該選択信号に該当するコンテンツをメディアストレージ１１から取得する。プロトコル処理部１４は、取得されたコンテンツを、プロファイル情報記憶部１２に記憶されている該当する送出方式に従って発信側端末２０ａに送出する。【選択図】  図２
2010136177.tif 000002
【特許請求の範囲】
【請求項１】
発信側端末からの着信に対して着信側端末が応答保留を行う場合に、前記発信側端末へのコンテンツの送出を制御するサービス制御装置であって、
メディア種別が異なる複数のコンテンツを一括して記憶するコンテンツ記憶手段と、
前記コンテンツ記憶手段に記憶された各コンテンツの送出方式を記憶する送出方式記憶手段と、
前記応答保留時に着側ユーザの選択操作に基づくコンテンツの選択信号を前記着信側端末から受信した場合に、前記コンテンツを前記コンテンツ記憶手段から取得するコンテンツ取得手段と、
前記コンテンツ取得手段により取得されたコンテンツを、前記送出方式記憶手段に記憶されている該当する送出方式に従って送出するプロトコル処理手段と
を備えたことを特徴とするサービス制御装置。
【請求項２】
前記選択操作の種類と、送出すべき１又は複数のコンテンツの識別情報とを対応付けて記憶するコンテンツ識別情報記憶手段と、
前記着信側端末での着側ユーザによる選択操作を検知した場合に、該検知した選択操作の種類に対応付けられて前記コンテンツ識別情報記憶手段に記憶されているコンテンツの識別情報を取得するコンテンツ識別情報取得手段とをさらに備え、
前記コンテンツ取得手段は、
前記コンテンツ識別情報取得手段により取得された識別情報で識別されるコンテンツを前記コンテンツ記憶手段から取得することを特徴とする請求項１に記載のサービス制御装置。
【請求項３】
前記コンテンツ識別情報記憶手段は、所定の選択操作の種類に対応付けて、送出すべきテキストコンテンツと音声コンテンツとを記憶することを特徴とする請求項２に記載のサービス制御装置。
【請求項４】
前記選択操作は、着信側端末に設けられたキーの押下操作であることを特徴とする請求項１から３の何れか１項に記載のサービス制御装置。
【請求項５】
発信側端末からの着信に対して着信側端末が応答保留を行う場合に、前記発信側端末へのコンテンツの送出を制御するサービス制御装置が行うコンテンツ送出方法であって、
メディア種別が異なる複数のコンテンツを一括して記憶するコンテンツ記憶ステップと、
前記コンテンツ記憶ステップにおいて記憶された各コンテンツの送出方式を記憶する送出方式記憶ステップと、
前記応答保留時に着側ユーザの選択操作に基づくコンテンツの選択信号を前記着信側端末から受信した場合に、前記コンテンツを前記コンテンツ記憶手段から取得するコンテンツ取得ステップと、
前記コンテンツ取得ステップにおいて取得されたコンテンツを、前記送出方式記憶手段に記憶されている該当する送出方式に従って送出するプロトコル処理ステップと
を備えたことを特徴とするコンテンツ送出方法。
【発明の詳細な説明】
【技術分野】
【０００１】
本発明は、着信応答保留時に、発信側端末へのコンテンツの送出を制御するサービス制御装置、及び、コンテンツ送出方法に関する。
【背景技術】
【０００２】
従来、着信側の移動機への音声着信時に着側ユーザが応答を保留した場合、着側ユーザの操作に応じて、発信側の移動機への音声ガイダンスの送出や留守番電話センタへの転送を選択可能である。また、テレビ電話着信の応答保留時には、静止画の送出を選択可能である。しかしながら、このように応答保留時の着側ユーザの選択肢は限定されており、着側ユーザの置かれた状況や発側ユーザとの関係において、ショートメッセージ、電子メール、動画、音声ガイダンス等、適切なメディアによるコンテンツを発信側端末に返すことができなかった。
【０００３】
着信時に発信側の移動機にガイダンスを送出する技術として、例えば、特許文献１には、着側ユーザが着信接続を希望する場合には回線接続時のメディア種別を選択し、着信接続を拒否する場合には発信側の移動機に送信する接続拒否理由を選択することが記載されている。
また、特許文献２には、着側ユーザが直ちに着信に応答できない場合に、特殊なキーまたは他の手段により、複数の音声メッセージの中から必要なメッセージを選択して送出することで、状況を発側ユーザに通知することが記載されている。
【特許文献１】特開平７−２０６００３号公報
【特許文献２】特開２００６−２３８４９２号公報
【発明の開示】
【発明が解決しようとする課題】
【０００４】
しかしながら、特許文献１には、着信接続時及び接続拒否時の動作について記載されているが、着信応答保留時の動作については記載されていない。
また、特許文献２では、着信応答保留時に着側ユーザが選択できるメッセージは音声メッセージのみであり、着側ユーザの置かれた状況や発側ユーザとの関係において適切なマルチメディアコンテンツを選択することができない。
本発明は上述した従来技術の問題点を解決するためになされたものであり、着信応答保留時に、着側ユーザの置かれた状況や発側ユーザとの関係において適切なマルチメディアコンテンツを選択して発信側端末に送出することを可能とするサービス制御装置、及び、コンテンツ送出方法を提供することを目的とする。
【課題を解決するための手段】
【０００５】
上記課題を解決するために、本発明の請求項１に記載のサービス制御装置は、発信側端末からの着信に対して着信側端末が応答保留を行う場合に、前記発信側端末へのコンテンツの送出を制御するサービス制御装置であって、メディア種別が異なる複数のコンテンツを一括して記憶するコンテンツ記憶手段と、前記コンテンツ記憶手段に記憶された各コンテンツの送出方式を記憶する送出方式記憶手段と、前記応答保留時に着側ユーザの選択操作に基づくコンテンツの選択信号を前記着信側端末から受信した場合に、前記コンテンツを前記コンテンツ記憶手段から取得するコンテンツ取得手段と、前記コンテンツ取得手段により取得されたコンテンツを、前記送出方式記憶手段に記憶されている該当する送出方式に従って送出するプロトコル処理手段とを備えたことを特徴とする。
【０００６】
本発明によれば、発信側端末からの着信に対して着信側端末が応答保留を行う場合に、サービス制御装置は、着側ユーザの選択操作に基づくコンテンツの選択信号を着信側端末から受信した場合、前記コンテンツをコンテンツ記憶手段から取得し、該取得されたコンテンツを前記送出方式記憶手段に記憶されている該当する送出方式に従って送出するため、着側ユーザは、着信応答保留時に、着側ユーザの置かれた状況や発側ユーザとの関係において適切なマルチメディアコンテンツを選択して発信側端末に送出することができる。
【０００７】
請求項２に記載のサービス制御装置は、請求項１において、前記選択操作の種類と、送出すべき１又は複数のコンテンツの識別情報とを対応付けて記憶するコンテンツ識別情報記憶手段と、前記着信側端末での着側ユーザによる選択操作を検知した場合に、該検知した選択操作の種類に対応付けられて前記コンテンツ識別情報記憶手段に記憶されているコンテンツの識別情報を取得するコンテンツ識別情報取得手段とをさらに備え、前記コンテンツ取得手段は、前記コンテンツ識別情報取得手段により取得された識別情報で識別されるコンテンツを前記コンテンツ記憶手段から取得することを特徴とする。
本発明によれば、選択操作の種類と、送出すべき１又は複数のコンテンツの識別情報とを対応付けてコンテンツ識別情報記憶手段に記憶させておくことで、着側ユーザは、着信応答保留時に所定の選択操作を行うことで、所望の１又は複数のコンテンツを発信側端末に送出することができる。
【０００８】
請求項３に記載のサービス制御装置は、請求項２において、前記コンテンツ識別情報記憶手段は、所定の選択操作の種類に対応付けて、送出すべきテキストコンテンツと音声コンテンツとを記憶することを特徴とする。
本発明によれば、着側ユーザは、着信応答保留時に所定の選択操作を行うことで、テキストコンテンツと音声コンテンツとの両方を発信側端末に送出することができる。
【０００９】
請求項４に記載のサービス制御装置は、請求項１から３の何れか１項において、前記選択操作は、着信側端末に設けられたキーの押下操作であることを特徴とする。
本発明によれば、着側ユーザは、着信側端末に設けられたキーの押下操作を行うことで、容易に送出すべきコンテンツを選択することができる。
【００１０】
請求項５に記載のコンテンツ送出方法は、発信側端末からの着信に対して着信側端末が応答保留を行う場合に、前記発信側端末へのコンテンツの送出を制御するサービス制御装置が行うコンテンツ送出方法であって、メディア種別が異なる複数のコンテンツを一括して記憶するコンテンツ記憶ステップと、前記コンテンツ記憶ステップにおいて記憶された各コンテンツの送出方式を記憶する送出方式記憶ステップと、前記応答保留時に着側ユーザの選択操作に基づくコンテンツの選択信号を前記着信側端末から受信した場合に、前記コンテンツを前記コンテンツ記憶手段から取得するコンテンツ取得ステップと、前記コンテンツ取得ステップにおいて取得されたコンテンツを、前記送出方式記憶手段に記憶されている該当する送出方式に従って送出するプロトコル処理ステップとを備えたことを特徴とする。
【発明の効果】
【００１１】
本発明によれば、発信側端末からの着信に対して着信側端末が応答保留を行う場合に、サービス制御装置は、着側ユーザの選択操作に基づくコンテンツの選択信号を着信側端末から受信した場合、前記コンテンツをコンテンツ記憶手段から取得し、該取得されたコンテンツを前記送出方式記憶手段に記憶されている該当する送出方式に従って送出するため、着側ユーザは、着信応答保留時に、着側ユーザの置かれた状況や発側ユーザとの関係において適切なマルチメディアコンテンツを選択して発信側端末に送出することができる。
【発明を実施するための最良の形態】
【００１２】
以下、本発明の実施の形態を、図面を参照して説明する。なお、以下の説明において参照する各図では、他の図と同等部分は同一符号によって示されている。
（全体構成）
図１は、本発明の実施の形態に係る通信ネットワークの全体構成を示す図である。同図に示すように、通信ネットワークは、メディア蓄積サービス制御装置１０と、発信側ユーザが使用する発信側端末２０ａと、着信側ユーザが使用する着信側端末２０ｂと、回線交換及びパケット交換による通信を制御する交換機３０ａ，３０ｂと、インターネットを介した通信を制御するＷｅｂインターフェース（ＩＦ）４０とを含んで構成される。これらの装置はそれぞれ、図示せぬＣＰＵ（Central Processing Unit）と、プログラム、データ等のソフトウェアを記憶するメモリ、ハードディスク等の記憶装置と、外部装置との通信を制御する通信インターフェースとを備えている。
【００１３】
（メディア蓄積サービス制御装置の構成）
メディア蓄積サービス制御装置１０は、留守番電話サービス、楽曲による呼出、ＳＭＳ（Short Message Service）等の各種メディア処理を統合的に処理する装置である。
図２は、メディア蓄積サービス制御装置１０の構成を示すブロック図である。同図に示すように、メディア蓄積サービス制御装置１０は、メディアストレージ１１と、プロファイル情報記憶部１２と、サービス制御部１３と、プロトコル処理部１４と、ファイル変換部１５と、ＴＣＰ（Transmission Control Protocol）処理部１６と、ＵＤＰ（User Datagram Protocol）処理部１７と、ＩＰ（Internet Protocol）処理部１８とを含んで構成される。
【００１４】
メディアストレージ（「コンテンツ記憶手段」に対応）１１は、メディア種別が異なる複数の各コンテンツをファイル形式で一括して記憶する。また、メディアストレージ１１は、各コンテンツのファイル名称、各ファイルが記憶されている記憶場所を示すポインタ等のファイル管理情報を、一般的なファイル管理方式に従って記憶する。
なお、着信側端末２０ｂに保存されているコンテンツをメディア蓄積サービス制御装置１０にアップロードする等により、着信側端末２０ｂからメディアストレージ１１にコンテンツを登録可能である。
【００１５】
プロファイル情報記憶部１２は、着信応答保留時に送出するコンテンツプロファイルのリストを記憶する。プロファイル情報記憶部１２は、送出方式記憶機能１２１と、コンテンツ識別情報記憶機能１２２とを備えている。
送出方式記憶機能１２１は、メディアストレージ１１に記憶された各コンテンツを送出する際の送出方式を記憶する。コンテンツ識別情報記憶機能１２２は、コンテンツの選択操作の種類と、送出すべき１又は複数のコンテンツの識別情報とを対応付けて記憶する。
【００１６】
図３には、プロファイル情報記憶部１２に記憶されているプロファイル情報の一例を示す。同図に示すプロファイル情報は、右側から順に、着側ユーザによるキー操作の種類、コンテンツのメディア種別、コンテンツの送出方式、コンテンツのファイル名称に該当する。１つのキー操作の種類に対応付けて複数のファイル名称、送出方式等が記憶されている場合には、当該１つのキーが押下操作されることにより複数のコンテンツが送出されることを示している。例えば、図３に示す例においては、着信応答保留時に着側ユーザにより着信側端末２０ｂのキー「＃５」が押下操作された場合に、テキストメッセージと音声メッセージとの両方が発信側端末２０ａに送出されることを示している。
【００１７】
なお、図３に示す例では、送出方式記憶機能１２１が記憶する情報は、コンテンツのファイル名称及び送出方式であり、コンテンツ識別情報記憶機能１２２が記憶する情報は、キー操作の種類及びコンテンツのファイル名称である。
図２に戻り、サービス制御部１３は、プロファイル情報及びコンテンツの登録、着信応答保留時のコンテンツの取得、送出等を制御する。
【００１８】
詳細には、サービス制御部１３は、コンテンツ識別情報取得機能１３１と、コンテンツ取得機能１３２とを備えている。
コンテンツ識別情報取得機能１３１は、着信側端末２０ｂでの着側ユーザによるコンテンツの選択操作を検知した時に、当該選択操作の種類に対応付けられてプロファイル情報記憶部１２に記憶されているコンテンツのファイル名を取得する。なお、コンテンツのファイル名に限らず、メディアストレージ１１におけるコンテンツの記憶場所を識別可能な情報であればよく、例えば、コンテンツのポインタを取得してもよい。
【００１９】
コンテンツ取得機能１３２は、コンテンツ識別情報取得機能１３１により取得されたファイル名で識別されるファイル形式のコンテンツをメディアストレージ１１から取得する。
プロトコル処理部１４は、コンテンツ取得機能１３２により取得されたコンテンツを、プロファイル情報記憶部１２に記憶されている送出方式に従って、適当な回線に振り分け、適当な転送プロトコルで発信側端末２０ａに送出する。
【００２０】
例えば、送出方式が「ＳＭＳ」の場合には、ＳＭＰＰ（Short Message Peer to Peer）処理部１４４でコンテンツをＳＭＰＰプロトコル用に編集し、ＳＭＰＰプロトコルに従って共通線信号網経由で送出する。
送出方式が「音声回線」又は「ＴＶ（テレビジョン）電話」の場合には、ＲＴＰ（Real-time Transport Protocol）処理部１４３でコンテンツをＲＴＰ用に編集し、ＲＴＰに従って回線交換によるストリーミング伝送を行う。
【００２１】
送出方式が「Ｅ−Ｍａｉｌ（電子メール）」の場合には、ＳＭＴＰ（Simple Mail Transfer Protocol）処理部１４１でコンテンツをＳＭＴＰ用に編集し、ＳＭＴＰに従って、パケット通信により送出する。
送出方式が電子メールを除く「画像」の場合には、ＨＴＴＰ（Hyper Text Transfer Protocol）処理部１４２でコンテンツをＨＴＴＰ用に編集し、ＨＴＴＰに従って送出する。
ＴＣＰ処理部１６と、ＵＤＰ処理部１７と、ＩＰ処理部１８とは、Ｗｅｂインターフェース４０との通信や、パケット交換方式、回線交換方式による交換機３０ａ，３０ｂを介した通信を行うための公知の汎用インターフェースである。
【００２２】
（発信側端末、着信側端末の構成）
発信側端末２０ａ及び着信側端末２０ｂは、撮像機能が搭載された一般的な移動機であり、「＃１」、「＃２」等で識別される操作キーと、画像や文字を表示する液晶ディスプレイと、音を出力するスピーカと、音声を入力するマイクロフォンとを有している。発信側端末２０ａ及び着信側端末２０ｂは、回線交換方式及びパケット交換方式の回線を介して、各種通信プロトコルに従って、音声通信、ＴＶ電話通信、パケット通信等を行うことが可能である。
なお、発信側端末２０ａ及び着信側端末２０ｂは、移動機に限らず、例えば、ＰＤＡ（Personal Digital Assistants）等の情報処理端末であってもよい。
【００２３】
（シーケンス）
次に、図４に示すシーケンス図を主に参照し、図１を適宜参照して、着信応答保留時のコンテンツ送出手順について説明する。
まず、着信側端末２０ｂは、着信応答保留時に選択するコンテンツのプロファイル情報及びコンテンツ自体をメディア蓄積サービス制御装置１０に登録する（図１のステップＳ１）。
具体的には、着側ユーザは着信側端末２０ｂを操作して、これから登録するコンテンツのプロファイル情報を入力し、登録指示を行う。これにより、着信側端末２０ｂは、入力されたプロファイル情報を、交換機３０ｂ、Ｗｅｂインターフェース４０を経由して、メディア蓄積サービス制御装置１０に送信する（図４のステップＳ１０１、Ｓ１０２）。メディア蓄積サービス制御装置１０のサービス制御部１３は、受信したプロファイル情報をプロファイル情報記憶部１２に記憶する（図４のステップＳ１０３、「送出方式記憶ステップ」に対応）。プロファイル情報の登録完了後、メディア蓄積サービス制御装置１０は、プロファイル情報の登録完了通知を着信側端末２０ｂに送信する（図４のステップＳ１０４、Ｓ１０５）。
【００２４】
次に、着側ユーザはコンテンツの登録操作を行う。例えば、着信側端末２０ｂに保存されているファイル形式のコンテンツを登録する場合は、Ｗｅｂ経由でパケット通信によって登録する操作を行う。或いは、自己の音声を登録する場合は、着信側端末２０ｂの通信回線を音声回線に切り替えて登録操作を行う。
これにより、着信側端末２０ｂは、交換機３０ｂを経由して、メディア蓄積サービス制御装置１０にコンテンツを送信する（図４のステップＳ１０６）。メディア蓄積サービス制御装置１０のファイル変換部１５は、受信したコンテンツを、メディアストレージ１１に蓄積するためのファイル形式に変換する。そして、当該変換したコンテンツをサービス制御部１３を経由して、メディアストレージ１１に記憶する（図４のステップＳ１０７、Ｓ１０８、「コンテンツ記憶ステップ」に対応）。コンテンツの登録完了後、メディア蓄積サービス制御装置１０は、コンテンツの登録完了通知を着信側端末２０ｂに送信する（図４のステップＳ１０９、Ｓ１１０）。
【００２５】
次に、発信側端末２０ａは着信側端末２０ｂへ音声発信を行う（図１のステップＳ２）。具体的には、発側ユーザは、着信側端末２０ｂの電話番号を発信側端末２０ａに入力して、発信操作を行う。これにより、発信側端末２０ａは、着信側端末２０ｂへの発呼を行う（図４のステップＳ１１１）。
着信側端末２０ｂは着信を受けると、着側ユーザの操作に基づいて、応答保留を行うとともに、コンテンツの選択信号をメディア蓄積サービス制御装置１０に送信する（図１のステップＳ３）。
【００２６】
具体的には、着側ユーザは、応答保留操作を行った後に、例えば発信側端末２０ａにテキストメッセージを送信するために「＃１」のキーの押下操作を行う。これにより、着信側端末２０ｂは、応答保留時に「＃１」のキーの押下操作がなされた旨を示すコンテンツの選択信号をメディア蓄積サービス制御装置１０に送信する（図４のステップＳ１１２）。
【００２７】
次に、メディア蓄積サービス制御装置１０は、選択されたコンテンツを発信側端末２０ａに送信する（図１のステップＳ４）。
具体的には、メディア蓄積サービス制御装置１０のサービス制御部１３は、プロファイル情報記憶部１２に問い合わせて、着信側端末２０ｂから受信したコンテンツの選択信号で示されるキー操作「＃１」に対応するプロファイル情報（ここでは、例えば図３に示すメディア種別「テキスト」、送出方式「ＳＭＳ」、ファイル名「message.txt」）を取得する（図４のステップＳ１１３、Ｓ１１４）。
【００２８】
次に、サービス制御部１３は、プロファイル情報記憶部１２から取得したファイル名「message.txt」で識別されるコンテンツ自体をメディアストレージ１１から取得する（図４のステップＳ１１５、Ｓ１１６、「コンテンツ取得ステップ」に対応）。
サービス制御部１３は、メディアストレージ１１から取得したコンテンツを、プロファイル情報記憶部１２から取得した送出方式「ＳＭＳ」とともにプロトコル処理部１４に送出する（図４のステップＳ１１７）。
【００２９】
プロトコル処理部１４は、送出方式「ＳＭＳ」で送出可能な形式にコンテンツを編集し、当該コンテンツをＳＭＰＰに従って発信側端末２０ａに送出する（図４のステップＳ１１８、「プロトコル処理ステップ」に対応）。これにより、発信側端末２０ａの液晶ディスプレイには、応答保留の理由が示されたショートメッセージが表示される。メディア蓄積サービス制御装置１０は、送出結果を着信側端末２０ｂに送信する（図４のステップＳ１１９）。
【００３０】
次に、応答保留解除を行う（図１のステップＳ５）。
具体的には、着側ユーザは着信側端末２０ｂのキーを操作して、応答保留の解除指示を行う。これにより、着信側端末２０ｂは、保留解除の信号を送信する（図４のステップＳ１２０）。発側ユーザが回線の切断操作を行わずに待機していた場合、発信側端末２０ａと着信側端末２０ｂとの間の音声回線が接続され、発側ユーザと着側ユーザとは音声通話を開始する（図４のステップＳ１２１）。
なお、上述したシーケンス図では音声発信について説明したが、音声発信に限らず、例えばＴＶ電話発信でもよい。
【００３１】
以上説明したように、メディアストレージ１１にメディア種別が異なる複数のコンテンツを一括して記憶しておき、着信応答保留時にメディア蓄積サービス制御装置１０が着側ユーザの選択操作に基づくコンテンツの選択信号を着信側端末２０ｂから受信した場合に、当該選択信号で指定されたコンテンツをメディアストレージ１１から取得し、当該取得されたコンテンツをプロファイル情報記憶部１２に記憶されている該当する送出方式に従って送出するため、着信応答保留時に、着側ユーザの操作により、発信側端末２０ａに対して、音声ガイダンス、映像ガイダンス、ショートメッセージ、電子メール等のマルチメディアコンテンツを選択的に送出することができ、着側ユーザは、着側ユーザの置かれた状況や発側ユーザとの関係において適切なメディアで発側ユーザに応答保留の理由を通知することができる。また、「＃１」、「＃２」等のキーの選択操作の種類と、「message.txt」、「voice.txt」等の送出すべき１又は複数のコンテンツのファイル名とを対応付けてプロファイル情報記憶部１２に記憶させておくことで、着側ユーザは、着信応答保留時に所定のキーの選択操作を行うことで、所望の１又は複数のコンテンツを発信側端末２０ａに送出することができる。
【００３２】
このように、着側ユーザは、予めマルチメディアコンテンツを登録しておくことで、テキスト、音声、映像等、メディア種別を問わず、発信側端末２０ａに送出するコンテンツを選択することが可能であり、メディア蓄積サービス制御装置１０は、コンテンツ選択の都度、予め登録された送出方式に従って、各コンテンツを送出する無線ベアラを選択することが可能となる。
なお、上述した実施形態で説明したマルチメディアコンテンツの送出方式や、送出方式に対応する通信プロトコルの種類は一例に過ぎず、例えば、送出方式は動画の添付ファイル付電子メールであってもよいし、通信プロトコルはＦＴＰ（File Transfer Protocol）、ＳＯＡＰ（Simple Object Access Protocol）等、様々なものが考えられる。
【図面の簡単な説明】
【００３３】
【図１】本発明の実施形態に係る通信ネットワークの全体構成を示す図である。る。
【図２】同実施形態に係るメディア蓄積サービス制御装置の構成を示すブロック図である。
【図３】同実施形態に係るプロファイル情報記憶部に記憶されているプロファイル情報の一例を示す図である。
【図４】同実施形態に係る着信応答保留時のコンテンツ送出手順を示す図である。
【符号の説明】
【００３４】
１０    メディア蓄積サービス制御装置
１１    メディアストレージ
１２    プロファイル情報記憶部
１２１  送出方式記憶機能
１２２  コンテンツ識別情報記憶機能
１３    サービス制御部
１３１  コンテンツ識別情報取得機能
１３２  コンテンツ取得機能
１４    プロトコル処理部
１４１  ＳＭＴＰ処理部
１４２  ＨＴＴＰ処理部
１４３  ＲＴＰ処理部
１４４  ＳＭＰＰ処理部
１５    ファイル変換部
１６    ＴＣＰ処理部
１７    ＵＤＰ処理部
１８    ＩＰ処理部
２０ｂ  着信側端末
２０ａ  発信側端末
３０ａ，３０ｂ  交換機
４０    Ｗｅｂ  ＩＦ（インターフェース）
【図１】
2010136177.tif 000003
【図２】
2010136177.tif 000004
【図３】
2010136177.tif 000005
【図４】
2010136177.tif 000006